(57)【要約】【課題】複数台の空調用室外ユニットを隣接させて設置しようとする場合に、設置面積を最小限にすることができるとともに熱交換性能を向上させることができる空調用室外ユニットおよびこれを備えた空気調和機を提供することを目的とする。【解決手段】上吹きの室外ファン１１と、室外の空気を取り入れるための吸込口が四側面それぞれに形成された平面視矩形の筐体１４と、前記筐体１４内でかつ前記四側面に沿うように配置された二個のＬ字形熱交換器１２，１３と、を具備する空調用室外ユニット１０において、前記二個のＬ字形熱交換器１２，１３は、前記側面に対向する少なくとも一辺が前記筐体１４の側面に対して鋭角となる角度θを有するように構成されていることを特徴とする。【選択図】  図１
2004340504.tif 000002
【特許請求の範囲】
【請求項１】
上吹きの室外ファンと、該室外ファンを収容するとともに、室外の空気を取り入れるための吸込口が四側面それぞれに形成された平面視矩形の筐体と、前記筐体内でかつ前記四側面に沿うように配置された二個のＬ字形熱交換器と、を具備する空調用室外ユニットにおいて、
前記二個のＬ字形熱交換器は、前記側面に対向する少なくとも一辺が前記筐体の対向する側面に対して鋭角となる角度θを有するように構成されていることを特徴とする空調用室外ユニット。
【請求項２】
前記二個のＬ字形熱交換器は、前記側面に対向する二辺がそれぞれ、前記筐体の対向する側面に対して鋭角となる角度θを有するように構成されていることを特徴とする請求項１に記載の空調用室外ユニット。
【請求項３】
上吹きのファンと、室外の空気を取り入れるための吸込口が三側面それぞれに形成された平面視矩形の筐体と、前記筐体内でかつ前記三側面に沿うように配置された一個の略コ字形熱交換器と、を具備する空調用室外ユニットにおいて、
前記略コ字形熱交換器は、各辺がそれぞれ、前記筐体の対向する側面に対して鋭角となる角度θを有するように構成されていることを特徴とする空調用室外ユニット。
【請求項４】
前吹きのファンと、室外の空気を取り入れるための吸込口が隣接する二側面それぞれに形成された平面視矩形の筐体と、前記筐体内でかつ前記二側面に沿うように配置された一個のＬ字形熱交換器と、を具備する空調用室外ユニットにおいて、
前記Ｌ字形熱交換器は、各辺がそれぞれ、前記筐体の対向する側面に対して鋭角となる角度θを有するように構成されていることを特徴とする空調用室外ユニット。
【請求項５】
前記ファンおよび前記熱交換器を前記筐体の上方に、前記圧縮機を前記筐体の下方に配置するとともに、前記ファンおよび前記熱交換器と前記圧縮機との間に隔壁を設けたことを特徴とする請求項１から４のいずれか一項に記載の空調用室外ユニット。
【請求項６】
請求項１から５のいずれか一項に記載の空調用室外ユニットと、
室内の空気を取り入れるための吸込口、前記吸込口から取り入れられた空気を冷却または加熱するための室内熱交換器、前記室内熱交換器で熱交換された空気を室内に戻すための吹出口、および前記吸込口から空気を取り入れるとともに、前記吹出口から室内に熱交換された空気を吹き出させるための室内ファンを具備した空調用室内ユニットと、
これら空調用室内ユニットおよび空調用室外ユニットを連結するとともに、冷媒をこれら空調用室内ユニットおよび空調用室外ユニットの間で循環させるための冷媒配管と、を備えてなることを特徴とする空気調和機。
【発明の詳細な説明】
【０００１】
【発明の属する技術分野】
本発明は、空調用室外ユニットおよびこれを備えた空気調和機に関し、特に空調用室外ユニット内に配置された室外熱交換器の配置形態に関するものである。
【０００２】
【従来の技術】
従来、空調用室外ユニット内に配置されたＬ字型熱交換器は、その各辺が筐体の対向する側面内側と平行になるよう構成されている（たとえば、特許文献１参照）。
【０００３】
【特許文献１】
特開２０００−１７９８９２号公報（図２，図１２）
【０００４】
【発明が解決しようとする課題】
しかしながら、前述した特許文献１の発明では、複数台（たとえば２台）の空調用室外ユニットを隣接させて（並べて）設置しようとする場合、隣接面に対向して設けられた熱交換器にも外気が流入可能となるよう、空調用室外ユニットと空調用室外ユニットとの間に空間を設けるようにしなければならず、設置面積が増加してしまうといった問題点があった。
また、設置面積に制約があって、空調用室外ユニットと空調用室外ユニットとの間の空間が十分に確保できないような場合、隣接面に対向して設けられた熱交換器に外気が十分に流入せず、熱交換性能が低下し、空気調和機全体として性能が低下してしまうといった問題点があった。
【０００５】
本発明は、上記の事情に鑑みてなされたもので、複数台の空調用室外ユニットを隣接させて設置しようとする場合に、設置面積を最小限にすることができるとともに熱交換性能を向上させることができる空調用室外ユニットおよびこれを備えた空気調和機を提供することを目的とする。
【０００６】
【課題を解決するための手段】
本発明は、上記課題を解決するため、以下の手段を採用した。
すなわち、請求項１記載の空調用室外ユニットによれば、上吹きの室外ファンと、該室外ファンを収容するとともに、室外の空気を取り入れるための吸込口が四側面それぞれに形成された平面視矩形の筐体と、前記筐体内でかつ前記四側面に沿うように配置された二個のＬ字形熱交換器と、を具備する空調用室外ユニットにおいて、前記二個のＬ字形熱交換器は、前記側面に対向する少なくとも一辺が前記筐体の対向する側面に対して鋭角となる角度θを有するように構成されていることを特徴とする。
【０００７】
このような空調用室外ユニットによれば、筐体内に配置された二個のＬ字形熱交換器の、対向する少なくとも一組の辺が、筐体の対向する側面に対して、たとえば図１のように傾けられている。すなわち、各Ｌ字形熱交換器の二辺がなす角度αが直角よりも大きい鈍角となるように構成されている。
また、たとえば図２に示すように、２台の空調用室外ユニットを並べて（隣接させて）配置しても、実線矢印で示すように室外の空気（外気）が隣接面側に位置するＬ字形熱交換器の短辺部にも円滑に供給されるようになっている。
【０００８】
請求項２記載の空調用室外ユニットによれば、前記二個のＬ字形熱交換器は、前記側面に対向する二辺がそれぞれ、前記筐体の対向する側面に対して鋭角となる角度θを有するように構成されていることを特徴とする。
【０００９】
このような空調用室外ユニットによれば、筐体内に配置された二個のＬ字形熱交換器の各辺が、それぞれ筐体の対向する側面に対して傾けられている。したがって、たとえば図４に示すように、空調用室外ユニットの背面を壁面に近づけて配置しても、実線矢印で示すように外気が背面側に位置するＬ字形熱交換器の長辺部にも円滑に供給されるようになっている。
【００１０】
請求項３記載の空調用室外ユニットによれば、上吹きのファンと、室外の空気を取り入れるための吸込口が三側面それぞれに形成された平面視矩形の筐体と、前記筐体内でかつ前記三側面に沿うように配置された一個の略コ字形熱交換器と、を具備する空調用室外ユニットにおいて、前記略コ字形熱交換器は、各辺がそれぞれ、前記筐体の対向する側面に対して鋭角となる角度θを有するように構成されていることを特徴とする。
【００１１】
このような空調用室外ユニットによれば、筐体内に配置された一個の略コ字形熱交換器の各辺が、それぞれ筐体の対向する側面に対して、たとえば図７のように傾けられている。すなわち、熱交換器の一辺とこの辺に隣接する他辺とがなす角度が直角よりも大きい鈍角となるように構成されている。
また、たとえば図２に示すように、２台の空調用室外ユニットを並べて（隣接させて）配置しても、室外の空気（外気）が隣接面側に位置する略コ字形熱交換器の両端部に位置する短辺部にも円滑に供給されるようになっている。
さらに、たとえば図４に示すように、空調用室外ユニットの背面を壁面に近づけて配置しても、外気が背面側に位置する略コ字形熱交換器の長辺部にも円滑に供給されるようになっている。
【００１２】
請求項４記載の空調用室外ユニットによれば、前吹きのファンと、室外の空気を取り入れるための吸込口が隣接する二側面それぞれに形成された平面視矩形の筐体と、前記筐体内でかつ前記二側面に沿うように配置された一個のＬ字形熱交換器と、を具備する空調用室外ユニットにおいて、前記Ｌ字形熱交換器は、各辺がそれぞれ、前記筐体の対向する側面に対して鋭角となる角度θを有するように構成されていることを特徴とする。
【００１３】
このような空調用室外ユニットによれば、筐体内に配置された一個のＬ字形熱交換器の各辺が、それぞれ筐体の対向する側面に対して、たとえば図８のように傾けられている。すなわち、各Ｌ字形熱交換器の二辺がなす角度α１が直角よりも大きい鈍角となるように構成されている。
また、たとえば図２に示すように、２台の空調用室外ユニットを並べて（隣接させて）配置しても、室外の空気（外気）が隣接面側に位置するＬ字形熱交換器の短辺部にも円滑に供給されるようになっている。
さらに、たとえば図４に示すように、空調用室外ユニットの背面を壁面に近づけて配置しても、外気が背面側に位置するＬ字形熱交換器の長辺にも円滑に供給されるようになっている。
【００１４】
請求項５記載の空調用室外ユニットによれば、前記ファンおよび前記熱交換器を前記筐体の上方に、前記圧縮機を前記筐体の下方に配置するとともに、前記ファンおよび前記熱交換器と前記圧縮機との間に隔壁を設けたことを特徴とする。
【００１５】
このような空調用室外ユニットによれば、空調用室外ユニットの筐体上部にファンおよび熱交換器が収容され、筐体下部に圧縮機が収容されるとともに、筐体上部と筐体下部とが隔壁（仕切り板）で仕切られるようになっている。
【００１６】
請求項６記載の空気調和機によれば、請求項１から５のいずれか一項に記載の空調用室外ユニットと、室内の空気を取り入れるための吸込口、前記吸込口から取り入れられた空気を冷却または加熱するための室内熱交換器、前記室内熱交換器で熱交換された空気を室内に戻すための吹出口、および前記吸込口から空気を取り入れるとともに、前記吹出口から室内に熱交換された空気を吹き出させるための室内ファンを具備した空調用室内ユニットと、これら空調用室内ユニットおよび空調用室外ユニットを連結するとともに、冷媒をこれら空調用室内ユニットおよび空調用室外ユニットの間で循環させるための冷媒配管と、を備えてなることを特徴とする。
【００１７】
このような空気調和機によれば、設置面積を最小限にすることができるとともに熱交換性能を向上させることができる空調用室外ユニットが採用されることとなる。
【００１８】
【発明の実施の形態】
以下、本発明による空調用室外ユニットおよびこれを備えた空気調和機について、図面を参照しながら説明する。
なお、空調用室外ユニットおよび空気調和機の主たる構成については、従来周知であるので、ここではその詳細な説明は省略し、空調用室外ユニット内に配置された室外熱交換器（Ｌ字形熱交換器あるいは略コ字形熱交換器）の配置形態について詳述することにする。
【００１９】
図１を用いて本発明による空調用室外ユニットの第１実施形態を説明する。空調用室外ユニット１０は、冷媒を圧縮するための圧縮機（図示せず）と、上吹きのファン１１と、冷媒と室外の空気との熱交換を行わせる二個のＬ字形熱交換器１２，１３と、これら圧縮機、ファン１１、およびＬ字形熱交換器１２，１３を収容する筐体１４と、を主たる要素として構成されたものである。
【００２０】
筐体１４の四側面にはそれぞれ、室外の空気を取り入れるための吸込口（図示せず）が形成されているとともに、筐体１４の上面にはＬ字形熱交換器１２，１３との熱交換を終えた空気を排出するための吹出口（図示せず）が形成されている。すなわち、室外の空気（外気）は、吸込口→Ｌ字形熱交換器１２，１３→ファン１１→吹出口を通って再び大気中に戻されるようになっている。
【００２１】
Ｌ字形熱交換器１２，１３はそれぞれ、平面視へ字状に構成されているものであって、具体的にはＬ字形の屈曲部が９０度以上に拡開するように形成された拡開Ｌ字形をなす。すなわち、短い方の一辺（短辺）１２ａ，１３ａが、対向する筐体１４の側面に対して鋭角となる角度θを有するとともに、長い方の一辺（長辺）１２ｂ，１３ｂが、対向する筐体１４の側面に対して平行となるように構成されている。
なお、角度θは５°〜１５°であることが望ましい。
【００２２】
これにより、このような空調用室外ユニット１０を図２に示すように、複数台（たとえば２台）隣接させて設置した場合でも、隣接配置面側の側面に対して拡開Ｌ字形をなすＬ字形熱交換器１２，１３の一辺（１２ａ，１３ａ）が傾斜した状態で対向するように配置されていることから、空調用室外ユニット１０自体を近接して設置しても一方の空調用室外ユニット１０のＬ字形熱交換器１２の一辺１２ａと他方の室外ユニット１０のＬ字形熱交換器１３の一辺１３ａとは傾斜分だけ間隔が確保された状態で平行に配置されることになり、結果として、筐体１４の長辺側（図２において下側および上側）に設けられた吸込口から隣接配置面に対向するＬ字形熱交換器１２，１３の短辺１２ａ，１３ａ側に外気を円滑に導くことができる（図中の矢印参照）。
したがって、空調用室外ユニット１０と空調用室外ユニット１０との間に形成される空間を最小限（図２に示すように、たとえば対向する側面同士をほとんど当接させるよう）にすることができて、設置面積を最小限にすることができる。
【００２３】
また、図１に示すように、各Ｌ字形熱交換器１２，１３の短辺１２ａ，１３ａと長辺１２ｂ，１３ｂとのなす角αは、直角よりも大きくなるように、すなわち鈍角となるように屈曲部を拡開させて構成されている。加えて、室外ユニット１０の熱交換器配置部を形成する隣接設置側側面（空気流入面）に対して傾斜した状態で対向するように、かつ、空調用室外ユニット１０の熱交換器配置空間の中心部分について点対称をなすようにＬ字形熱交換器１２，１３を配置するものである。
このように、各Ｌ字形熱交換器１２，１３の短辺１２ａ，１３ａと長辺１２ｂ，１３ｂとのなす角αを鈍角とすることにより、フィン間隔の減少を抑制することができるので、流路抵抗の増大を抑制することができ、熱交換効率を向上させることができるとともに、フィン間を通過する外気の風切り音などを低減させることができて、騒音を低下させることができる。
また、確実に熱交換器を外気が流過するように空気流路を形成できるので、空調用室外ユニット１０の上下方向全般（底面から天面まで）に渡って熱交換器を延設配置する必要はなく、点対称配置した熱交換器の高さを低くすることが可能となる。このため、本実施形態の空調用室外ユニットでは上部に熱交換器配置部を設け、下部に圧縮機や電装品等を備えた機械室を設ける二階構造を採用でき、屋外に設置され悪環境にさらされる場合でも、機械室に雨水等の浸入し難い耐久性に富む空調用室外ユニットを提供できる。
【００２４】
図３を用いて本発明による空調用室外ユニットの第２実施形態を説明する。空調用室外ユニット２０は、第１実施形態同様、冷媒を圧縮するための圧縮機（図示せず）と、上吹きのファン１１と、冷媒と室外の空気との熱交換を行わせる二個のＬ字形熱交換器２２，２３と、これら圧縮機、ファン１１、およびＬ字形熱交換器２２，２３を収容する筐体１４と、を主たる要素として構成されたものである。
【００２５】
図３に示す第２実施形態と前述した第１実施形態とは、Ｌ字形熱交換器の平面視形状が異なる点以外は同じであるので、Ｌ字形熱交換器以外の構成要素についてはその説明を省略する。
本実施形態におけるＬ字形熱交換器２２，２３はそれぞれ、平面視へ字状に構成されているものであって、前述した実施形態よりもより大きく、Ｌ字形の屈曲部が９０度以上に拡開するように形成された拡開Ｌ字形をなす。すなわち、短い方の一辺（短辺）２２ａ，２３ａが、対向する筐体１４の側面に対して鋭角となる角度θ１を有するとともに、長い方の一辺（長辺）２２ｂ，２３ｂが、対向する筐体１４の側面に対して鋭角となる角度θ２を有するように構成されている。
なお、角度θ１，θ２はそれぞれ５°〜１５°であることが望ましい。
【００２６】
短い方の一辺（短辺）２２ａ，２３ａが、対向する筐体１４の側面に対して鋭角となる角度θ１を有するように構成することにより、図２を用いて説明した、第１実施形態と同様の作用効果を得ることができる。
【００２７】
また、Ｌ字形熱交換器２２，２３の短辺２２ａ，２３ａとそれに対向する筐体１４の側面との間に角度θ１を持たせるとともに、Ｌ字形熱交換器２２，２３の長辺２２ｂ，２３ｂとそれに対向する筐体１４の側面との間に角度θ２を持たせることにより、短辺２２ａ，２３ａと長辺２２ｂ，２３ｂとのなす角α１は、図１に示す角度αよりも大きくなるように形成されている。
言い換えれば、本実施形態では、前述した実施形態よりもより大きく、Ｌ字形の屈曲部が９０度以上に拡開するように形成された拡開Ｌ字形のＬ字形熱交換器２２，２３を、その各辺２２ａ，２２ｂ，２３ａ，２３ｂが室外ユニット１０の熱交換器配置部を形成する側面（空気流入面）に対して傾斜した状態で対向するように配置するものであり、特に、空調用室外ユニット１０の熱交換器配置空間の中心部分について点対称をなすようにＬ字形熱交換器２２，２３を配置するものである。
これにより、第１実施形態のものよりもフィン間隔の減少を抑制することができるので、屈曲部における流路抵抗の増大を抑制することができ、熱交換効率を向上させることができるとともに、フィン間を通過する外気の風切り音などを低減させることができて、騒音を低下させることができる。
【００２８】
さらに、各Ｌ字形熱交換器２２，２３の長辺２２ｂ，２３ｂが、対向する筐体１４の側面に対して鋭角となる角度θ２を有するように構成されていることにより、空調用室外ユニット２０の背面側（図４において上側）を、図４に示すように壁面Ｗにぴったりと沿わせて設置した場合でも、筐体１４の短辺側（図４において右側）に設けられた吸込口からＬ字形熱交換器２３の長辺２３ｂおよび短辺２３ａ側に外気を円滑に導くことができる（図中の矢印参照）。
同様に、本実施形態にかかる空調用室外ユニット１０は、矩形の空調用室外ユニットの短辺側に他の空調用室外ユニットを隣接させた場合だけに限らず、長辺側に他の空調用室外ユニットを隣接させた場合であっても、空調用室外ユニット１０の熱交換器配置部のすべての側面に対して傾斜状態で対向するようにＬ字形熱交換器２２，２３が配置されているので、熱交換器を外気が十分に流過する状態に維持できる。
したがって、空調用室外ユニット２０と壁面Ｗとの間に形成される空間を最小限（図４に示すように、たとえば空調用室外ユニット２０の背面を壁面Ｗにほとんど当接させるよう）にすることができて、設置面積を最小限にすることができる。
以下、上述した第１および第２実施形態の変形例として、複数の空調用室外ユニットを隣接配置させた場合や空調用室外ユニットを壁面に近接設置させた場合に、屋外という風向きが千変万化する環境下であっても空調用室外ユニットに設けられた熱交換器に確実に外気を導入するために有効となる、本発明にかかる熱交換器を傾斜状態で熱交換器配置部の側面に対向させた熱交換器配置構造を採用した他の実施形態を説明する。
【００２９】
図５を用いて本発明による空調用室外ユニットの第３実施形態を説明する。空調用室外ユニット３０は、第１実施形態および第２実施形態同様、冷媒を圧縮するための圧縮機（図示せず）と、上吹きのファン１１と、冷媒と室外の空気との熱交換を行わせる二個のＬ字形熱交換器１２，２３と、これら圧縮機、ファン１１、およびＬ字形熱交換器１２，２３を収容する筐体１４と、を主たる要素として構成されたものである。
【００３０】
図５に示す第３実施形態と前述した第１実施形態および第２実施形態とは、Ｌ字形熱交換器が異なる点以外は同じであるので、Ｌ字形熱交換器以外の構成要素についてはその説明を省略する。
本実施形態におけるＬ字形熱交換器は、第１実施形態におけるＬ字形熱交換器１２と、第２実施形態におけるＬ字形熱交換器２３とを組み合わせて構成されたものである。すなわち、筐体１４の正面側（図５において下側）に図１および図２に示したＬ字形熱交換器１２が配置されているとともに、壁面Ｗに沿う筐体１４の背面側（図５において上側）に図３および図４に示したＬ字形熱交換器２３が壁面Ｗ側の側面に対してその一辺２３ｂが傾斜状態で対向するように配置されている。
【００３１】
このように、筐体１４の背面側にＬ字形熱交換器２３を配置することにより、第２実施形態のところで説明したように、空調用室外ユニット３０と壁面Ｗとの間に形成される空間を最小限にすることができて、設置面積を最小限にすることができる。
また、筐体１４の正面側にＬ字形熱交換器１２を配置することにより、図３および図４に示す第２実施形態のものよりも伝熱面積を増大させることができて、熱交換効率を向上させることができる反面、熱交換効率をそのままとした場合、Ｌ字形熱交換器１２の小型化を図ることができ、ひいては空調用室外ユニット３０の小型化を図ることができる。
【００３２】
図６を用いて本発明による空調用室外ユニットの第４実施形態を説明する。本実施形態では、平面視矩形の空調用室外ユニット４０の短辺が他の空調用室外ユニットに隣接する状態を想定している。空調用室外ユニット４０は、第１実施形態ないし第３実施形態同様、冷媒を圧縮するための圧縮機（図示せず）と、上吹きのファン１１と、冷媒と室外の空気との熱交換を行わせる二個のコ字形熱交換器４２，４３と、これら圧縮機、ファン１１、およびコ字形熱交換器４２，４３を収容する筐体１４と、を主たる要素として構成されたものである。
【００３３】
図６に示す第４実施形態と前述した第１実施形態ないし第３実施形態とは、熱交換器の平面視形状が異なる点以外は同じであるので、熱交換器以外の構成要素についてはその説明を省略する。
コ字形熱交換器４２，４３はそれぞれ、平面視略コ字状に構成されている。すなわち、両端部に位置する二辺（短辺）４２ａ，４３ａが、対向する筐体１４の側面に対して鋭角となる角度θ３を有するとともに、長い方の一辺（長辺）４２ｂ，４３ｂが、対向する筐体１４の側面に対して平行となるように構成されている。
なお、角度θ３は５°〜１５°であることが望ましい。
【００３４】
これにより、前述した第１実施形態と同様の作用効果を得ることができる。
【００３５】
なお、本願発明の技術思想は、今まで述べてきた筐体１４の四側面それぞれについて、室外の空気を取り入れるための吸込口が設けられている四側面空気流入タイプの空調用室外ユニットに対してだけ適用され得るものではなく、たとえば後述する図７や図８に示すような非四側面空気流入タイプの空調用室外ユニットに対しても適用可能である。
【００３６】
続いて、非四側面空気流入タイプについて、本発明にかかる９０度よりも拡開した屈曲部を有する熱交換器を用いた応用例を説明する。以下の応用例においても、平面視矩形の空調用室外ユニットの短辺が他の空調用室外ユニットに隣接する状態を想定している。
図７に示す空調用室外ユニット５０は、冷媒を圧縮するための圧縮機（図示せず）と、上吹きのファン１１と、二つの屈曲部を備え、冷媒と室外の空気との熱交換を行わせる一個の略コ字形熱交換器５１と、これら圧縮機、ファン１１、および略コ字形熱交換器５１を収容する筐体５２と、を主たる要素として構成されたものである。
【００３７】
筐体５２の三側面、すなわち両側面と背面（図７において左側、右側、および上側に位置する面）にはそれぞれ、室外の空気を取り入れるための吸込口（図示せず）が形成されているとともに、筐体５２の上面には略コ字形熱交換器５１との熱交換を終えた空気を排出するための吹出口（図示せず）が形成されている。すなわち、室外の空気（外気）は、吸込口→略コ字形熱交換器５１→ファン１１→吹出口を通って再び大気中に戻されるようになっている。
なお、筐体５２の残りの一側面、すなわち正面（図７において下側に位置する面）には、室外の空気を取り入れるための吸込口（図示せず）は形成されていない。
【００３８】
略コ字形熱交換器５１は、平面視略コ字状に構成されている。すなわち、両端部に位置する二辺（短辺）５１ａ，５１ｂがそれぞれ、対向する筐体５２の側面に対して鋭角となる角度θ４，θ５を有するとともに、最も長い一辺（長辺）５１ｃが、対向する筐体５２の側面に対して鋭角となる角度θ６を有するように構成されている。
なお、角度θ４，θ５，θ６はそれぞれ５°〜１５°であることが望ましい。
【００３９】
熱交換器５１の平面視形状を図７に示すような略コ字状とすることにより得られる作用効果は、今まで述べてきた説明から明らかであるので、ここではその説明を省略する。
【００４０】
図８に示す空調用室外ユニット６０は、冷媒を圧縮するための圧縮機（図示せず）と、前吹きのファン６１と、冷媒と室外の空気との熱交換を行わせる一個のＬ字形熱交換器２３と、これら圧縮機、ファン６１、およびＬ字形熱交換器２３を収容する筐体６２と、を主たる要素として構成されたものである。
【００４１】
本空調用室外ユニット６０では、筐体６２の二側面、すなわち一側面と背面（図７において右側、および上側に位置する面）にはそれぞれ、室外の空気を取り入れるための吸込口（図示せず）が形成されているとともに、筐体６２の正面（図７において下側に位置する面）にはＬ字形熱交換器２３との熱交換を終えた空気を排出するための吹出口（図示せず）が形成されている。すなわち、室外の空気（外気）は、吸込口→Ｌ字形熱交換器２３→ファン６１→吹出口を通って再び大気中に戻されるようになっている。
なお、筐体６２の残りの一側面、すなわち図７において左側に位置する面には、室外の空気を取り入れるための吸込口（図示せず）は形成されていない。
【００４２】
Ｌ字形熱交換器２３の長辺２３ｂが、対向する筐体６２の側面に対して鋭角となる角度θ２を有するように構成されていることにより、空調用室外ユニット６０を複数隣接設置させた場合だけでなく、空調用室外ユニット６０の背面側を、図４に示すような壁面Ｗにぴったりと沿わせて設置した場合でも、筐体６２の短辺側（図８において右側）に設けられた吸込口からＬ字形熱交換器２３の長辺２３ｂおよび短辺２３ａ側に外気を円滑に導くことができる。
したがって、空調用室外ユニット６０と壁面Ｗとの間に形成される空間を最小限にすることができて、設置面積を最小限にすることができる。
【００４３】
また、Ｌ字形熱交換器２３の短辺２３ａとそれに対向する側面との間に角度θ１を持たせるとともに、Ｌ字形熱交換器２３の長辺２３ｂとそれに対向する側面との間に角度θ２を持たせることにより、短辺２３ａと長辺２３ｂとのなす角α１は、図１に示す角度αよりも大きくなるように形成されている。
これにより、第１実施形態のものよりもフィン間隔の減少を抑制することができるので、流路抵抗の増大を抑制することができ、熱交換効率を向上させることができるとともに、フィン間を通過する外気の風切り音などを低減させることができて、騒音を低下させることができる。
【００４４】
なお、上述したファン（上吹きファンあるいは前吹きファン）および熱交換器（Ｌ字形熱交換器あるいは略コ字形熱交換器）を筐体の上方に、図示しない圧縮機を筐体の下方に配置するとともに、ファンおよび熱交換器と圧縮機との間に隔壁を設けるように構成することができる。
すなわち、空調用室外ユニットの筐体上部にファンおよび熱交換器を収容し、筐体下部に圧縮機を収容するとともに、筐体上部と筐体下部とを隔壁（仕切り板）で仕切るようにする。
これにより、騒音の主たる原因である圧縮機を、筐体下部の側壁と隔壁とにより完全に覆ってしまう（密封してしまう）ことができるようになるので、騒音を大幅に低減させることができる。
【００４５】
【発明の効果】
本発明の空調用室外ユニットおよびこれを備えた空気調和機によれば、以下の効果を奏する。
請求項１記載の空調用室外ユニットによれば、各Ｌ字形熱交換器の二辺がなす角度が鈍角となるように構成されていることにより、フィン間隔の減少を抑制することができるので、流路抵抗の増大を抑制することができ、熱交換効率を向上させることができるとともに、フィン間を通過する外気の風切り音などを低減させることができて、騒音を低下させることができる。
また、たとえば図２に示すように、２台の空調用室外ユニットを並べて（隣接させて）配置しても、実線矢印で示すように室外の空気（外気）が隣接面側に位置するＬ字形熱交換器の短辺部にも円滑に供給されるようになっているので、空調用室外ユニットと空調用室外ユニットとの間に形成される空間を最小限にすることができて、設置面積を最小限にすることができる。
【００４６】
請求項２記載の空調用室外ユニットによれば、筐体内に配置された二個のＬ字形熱交換器の各辺が、それぞれ筐体の対向する側面に対して傾けられている。したがって、たとえば図４に示すように、空調用室外ユニットの背面を壁面に近づけて配置しても、実線矢印で示すように外気が背面側に位置するＬ字形熱交換器の長辺にも円滑に供給されるようになっているので、空調用室外ユニットの背面と壁面との間に形成される空間を最小限にすることができて、設置面積を最小限にすることができる。
【００４７】
請求項３記載の空調用室外ユニットによれば、コ字形熱交換器の一辺とこの一辺に隣接する他辺とがなす角度が鈍角となるように構成されていることにより、フィン間隔の減少を抑制することができるので、流路抵抗の増大を抑制することができ、熱交換効率を向上させることができるとともに、フィン間を通過する外気の風切り音などを低減させることができて、騒音を低下させることができる。
また、たとえば図２に示すように、２台の空調用室外ユニットを並べて（隣接させて）配置しても、室外の空気（外気）が隣接面に最も近い熱交換器に円滑に供給されるようになっているので、空調用室外ユニットと空調用室外ユニットとの間に形成される空間を最小限にすることができて、設置面積を最小限にすることができる。
さらに、筐体内に配置されたコ字形熱交換器の各辺が、それぞれ筐体の対向する側面に対して傾けられている。したがって、たとえば図４に示すように、空調用室外ユニットの背面を壁面に近づけて配置しても、実線矢印で示すように外気が背面側に位置するＬ字形熱交換器の長辺にも円滑に供給されるようになっているので、空調用室外ユニットの背面と壁面との間に形成される空間を最小限にすることができて、設置面積を最小限にすることができる。
【００４８】
請求項４記載の空調用室外ユニットによれば、Ｌ字形熱交換器の二辺がなす角度が鈍角となるように構成されていることにより、フィン間隔の減少を抑制することができるので、流路抵抗の増大を抑制することができ、熱交換効率を向上させることができるとともに、フィン間を通過する外気の風切り音などを低減させることができて、騒音を低下させることができる。
また、たとえば図２に示すように、２台の空調用室外ユニットを並べて（隣接させて）配置しても、室外の空気（外気）が隣接面側に位置するＬ字形熱交換器の短辺部にも円滑に供給されるようになっているので、空調用室外ユニットと空調用室外ユニットとの間に形成される空間を最小限にすることができて、設置面積を最小限にすることができる。
さらに、筐体内に配置された二個のＬ字形熱交換器の各辺が、それぞれ筐体の対向する側面に対して傾けられている。したがって、たとえば図４に示すように、空調用室外ユニットの背面を壁面に近づけて配置しても、外気が背面側に位置するＬ字形熱交換器の長辺にも円滑に供給されるようになっているので、空調用室外ユニットの背面と壁面との間に形成される空間を最小限にすることができて、設置面積を最小限にすることができる。
【００４９】
請求項５記載の空調用室外ユニットによれば、空調用室外ユニットの筐体上部にファンおよび熱交換器が収容され、筐体下部に圧縮機が収容されるとともに、筐体上部と筐体下部とが隔壁（仕切り板）で仕切られるようになっており、騒音の主たる原因である圧縮機を、筐体下部の側壁と隔壁とにより完全に覆ってしまう（密封してしまう）ことができるようになるので、圧縮機から発生する音を遮断することができて、騒音を大幅に低減させることができる。
【００５０】
請求項６記載の空気調和機によれば、設置面積を最小限にすることができるとともに熱交換性能を向上させることができる空調用室外ユニットが採用されることとなるので、設置場所の制約を受けることなく空調用室外ユニットを屋外に設置することができるとともに、消費電力量を低減させるととができて、ランニングコストを低減させることができる。
【図面の簡単な説明】
【図１】本発明による空調用室外ユニットの第１実施形態を示す概略平面図である。
【図２】図１に示す空調用室外ユニットを２台隣接させて設置した状態を説明するための概略平面図である。
【図３】本発明による空調用室外ユニットの第２実施形態を示す概略平面図である。
【図４】図３に示す空調用室外ユニットを壁面に隣接させて配置した状態を説明するための概略平面図である。
【図５】本発明による空調用室外ユニットの第３実施形態を示す概略平面図である。
【図６】本発明による空調用室外ユニットの第４実施形態を示す概略平面図である。
【図７】本発明による空調用室外ユニットの第５実施形態を示す概略平面図である。
【図８】本発明による空調用室外ユニットの第６実施形態を示す概略平面図である。
【符号の説明】
１０  空調用室外ユニット
１１  室外ファン
１２  Ｌ字形熱交換器
１３  Ｌ字形熱交換器
１４  筐体
２０  空調用室外ユニット
２２  Ｌ字形熱交換器
２３  Ｌ字形熱交換器
３０  空調用室外ユニット
４０  空調用室外ユニット
４２  略コ字形熱交換器
４３  略コ字形熱交換器
５０  空調用室外ユニット
５１  略コ字形熱交換器
５２  筐体
６０  空調用室外ユニット
６１  室外ファン
６２  筐体
【図１】
2004340504.tif 000003
【図２】
2004340504.tif 000004
【図３】
2004340504.tif 000005
【図４】
2004340504.tif 000006
【図５】
2004340504.tif 000007
【図６】
2004340504.tif 000008
【図７】
2004340504.tif 000009
【図８】
2004340504.tif 000010